(57)【要約】【課題】  部品点数を１点のみに削減したシンプルな構造によって、陰茎に対して精液の採取に好適な多元的な刺激を与えて、精液採取効率を高めることができるとともに、廉価に供給し得て経済的効果を発揮できる精液採取装置を提供する。【解決手段】  精液採取装置１は、長手方向の両端部に開口部４，５を設けたゲル状の弾性軟体からなる筒状の装置本体２と、各開口部４，５を連通させるスパイラル形の陰茎挿入路３とを備え、該陰茎挿入路３の内面は、長手方向直交断面形状が略正三角形からなり、かつ長手方向で互いに隣接する多数の環状体６ａ〜６ｎそれぞれの各辺によって、半円形で外側に膨出して連続する凹面７に形成し、始端の環状体６ａと終端の環状体６ｎの両者は、それ以外の各環状体６ｂ〜６ｎ−１を介して３００゜の相対回転角を有して互いに対向している【選択図】        図１
0003135770.tif 000002
【実用新案登録請求の範囲】
【請求項１】
長手方向の両端部に開口部を設けた筒状の装置本体と、前記各開口部を連通させる陰茎挿入路とを備えた精液採取装置において、
前記筒状の装置本体は、ゲル状の弾性軟体からなり、前記陰茎挿入路は、スパイラル形であることを特徴とする精液採取装置。
【請求項２】
請求項１に記載の精液採取装置において、
前記スパイラル形の陰茎挿入路は、始端から終端までの長手方向まわりの回転角を２１０゜〜４２０゜の範囲に設定したことを特徴とする精液採取装置。
【請求項３】
請求項１に記載の精液採取装置において、
前記筒状の装置本体の長手方向直交断面形状は、正方形であることを特徴とする精液採取装置。
【請求項４】
請求項１に記載の精液採取装置において、
前記筒状の装置本体の長手方向直交断面形状は、円形であることを特徴とする精液採取装置。
【請求項５】
請求項１に記載の精液採取装置において、
前記各開口部および陰茎挿入路の長手方向直交断面形状は、陰茎の長手方向直交最小断面積よりも小さい面積の正三角形または略正三角形であることを特徴とする精液採取装置。
【請求項６】
請求項１に記載の精液採取装置において、
前記各開口部および陰茎挿入路の長手方向直交断面形状は、陰茎の長手方向直交最小幅よりも少なくとも短辺の長さが小さい長方形または略長方形であることを特徴とする精液採取装置。
【請求項７】
請求項１，請求項２，請求項５または請求項６に記載の精液採取装置において、
前記陰茎挿入路の内面は、長手方向直交断面形状が正三角形，略正三角形、または長方形，略長方形からなり、かつ長手方向で互いに隣接する多数の環状体それぞれの各辺によって、長手方向断面を半円形で外側に膨出して連続する凹面、または半円形で内側に膨出して連続する凸面に形成されており、
前記多数の環状体の始端の環状体と終端の環状体の両者は、これらの間に位置して長手方向まわりに均等な回転角で進角回転して回転角を順次増大させる前記両者以外の各環状体を介して２１０゜〜４２０゜範囲の相対回転角を有して互いに対向していることを特徴とする精液採取装置。
【考案の詳細な説明】
【技術分野】
【０００１】
本考案は、精液採取装置に係り、たとえば、人工受精前段の適合諸検査や人工受精そのもの、あるいは睾丸疾病などの病理検査の一環に提供される精液の採取に好適な精液採取装置に関するものである。
【背景技術】
【０００２】
人工受精前段でなされる精液量、単位容積当たりの精子数、精子の運動性と運動持続性、頸管分泌物との適合性などの適合諸検査や、これらの検査をクリアした精液による人工受精、あるいは睾丸疾病などの病理検査の一環に提供する精液採取のための精液採取装置として、たとえば特許文献１に記載のものが提案されている。
【０００３】
【特許文献１】特開２００６−３４０８７０号公報
【考案の開示】
【考案が解決しようとする課題】
【０００４】
前記特許文献１に記載の技術は、長手方向一端部が開口した筒状の容器本体と、該容器本体の開口部に着脱して開閉するキャップとからなる容器と、前記容器本体に収容され、長手方向一端部の挿入口から内部にのびる挿入空所を有したゲル状樹脂製のコア部材と、該コア部材と前記筒状の容器本体内壁との間に介在するスポンジ層と、を備えた精液採取装置であって、前記筒状の容器本体は、長手方向中間部適所に他の部位よりも変形が容易な変形容易箇所を備えているものである。
【０００５】
前記構成の精液採取装置によれば、筒状の容器本体の長手方向中間部適所に他の部位よりも変形が容易な変形容易箇所を備えていることにより、陰茎摺擦のための操作中にコア部材内部の陰茎に加わる圧力、その方向を任意に変化させることができ、その結果、陰茎に対する刺激が多様化されて採取目的を達成できるとされている。
【０００６】
ところで、人工受精前段の適合諸検査や人工受精そのもの、あるいは睾丸疾病などの病理検査の一環に提供される精液の採取には、若干の精神的な緊張を伴う。そのため、陰茎に対して通常よりもやや強めの精液の採取に好適な刺激を与えることで、精液採取効率を高めることが必要であるといえる。
【０００７】
ところが、前記特許文献１に記載の精液採取装置では、変形容易箇所の変形による陰茎に加わる圧力、その方向の任意の変化などを無視すると、摺擦操作中の陰茎に対する刺激は、容器本体を陰茎長手方向に進退させる第１の操作によって得られる第１の刺激と、前記第１の操作に並行して容器本体を陰茎長手方向まわりの正逆方向に回動させる第２の操作によって得られる第２の刺激とを複合したな二元的刺激に制約されるので、陰茎に対して精液の採取に好適な刺激を与えて、精液採取効率を高めることが期待できない。
【０００８】
また、前記特許文献１に記載の精液採取装置は、筒状の容器本体と、該容器本体の開口部に着脱して開閉するキャップと、挿入空所を有したゲル状樹脂製のコア部材と、該コア部材と前記筒状の容器本体内壁との間に介在するスポンジ層などの少なくとも４部品を必要するので、部品点数が多く、構造が複雑である。したがって、各部品の製造および製造された各部品による精液採取装置組立に手間がかかるので、廉価に供給する経済的効果が期待できない。
【０００９】
本考案は、このような問題を解決するものであって、その目的とするところは、部品点数を１点のみに削減したシンプルな構造によって、陰茎に対して精液の採取に好適な多元的な刺激を与えて、精液採取効率を高めることができるとともに、廉価に供給し得て経済的効果を発揮できる精液採取装置を提供することにある。
【課題を解決するための手段】
【００１０】
前記目的を達成するために、本考案に係る精液採取装置は、長手方向の両端部に開口部を設けた筒状の装置本体と、前記各開口部を連通させる陰茎挿入路とを備えた精液採取装置において、
前記筒状の装置本体は、ゲル状の弾性軟体からなり、前記陰茎挿入路は、スパイラル形であることを特徴としている。
【００１１】
これによれば、部品点数を筒状の装置本体の１点のみに削減したシンプルな構造の精液採取装置を実現できる。また、筒状の装置本体を構成するゲル状の弾性軟体独自の物理的特性によって、陰茎に対して精液の採取に好適な過不足のない刺激を与えることができるとともに、陰茎摺擦操作中における筒状の装置本体への握力や撓曲力などを加減することで、陰茎に加わる圧力やその方向を任意に変化させて、陰茎に対する刺激の多様化を図れる。
【００１２】
一方、摺擦操作中の陰茎に対する刺激は、筒状の装置本体を陰茎長手方向に進退させる第１の操作によって得られる第１の刺激と、第１の操作によってスパイラル形の陰茎挿入路内面が陰茎長手方向まわりの正逆方向に反復摺擦する第２の刺激とを複合した二元的な刺激が同時に与えられる。しかも、筒状の装置本体を陰茎長手方向まわりの正逆方向に回動させる第２の操作を加えることによって、陰茎に対して精液の採取に好適な多元的な刺激を与えて、精液採取効率を著しく高めることができる。
【００１３】
前記スパイラル形の陰茎挿入路は、始端から終端までの長手方向まわりの回転角を２１０゜〜４２０゜の範囲に設定したことを特徴としている。始端から終端までの長手方向まわりの回転角が４２０゜を超えると、前記第１の操作による陰茎長手方向まわりの正逆方向に反復摺擦する第２の刺激が過剰になり、始端から終端までの長手方向まわりの回転角が２１０゜未満であると、前記第１の操作による陰茎長手方向まわりの正逆方向に反復摺擦する第２の刺激が希薄になる。このように、第２の刺激が過剰になったり希薄になると、精液採取効率が低下するので、スパイラル形の陰茎挿入路の始端から終端までの回転角を２１０゜〜４２０゜の範囲に設定することが望ましく、その結果、精液採取効率を高めることができる。
【００１４】
前記筒状の装置本体の長手方向直交断面形状は、正方形であることを特徴としている。これによると、正方形の各辺を適当な長さ（たとえば５０ｍｍまたはその付近）に設定することで、筒状の装置本体の把持が容易になって、陰茎摺擦操作の安定性を高めることができる。なお、各コーナ部分を面取りすることで把持が一層容易になる。
【００１５】
前記筒状の装置本体の長手方向直交断面形状は、円形であることを特徴としている。これによると、円の外径を適当な値（たとえば５４ｍｍまたはその付近）に設定することで、筒状の装置本体の把持が容易になって、陰茎摺擦操作の安定性を高めることができる。
【００１６】
前記各開口部および陰茎挿入路の長手方向直交断面形状は、陰茎の長手方向直交最小断面積よりも小さい面積の正三角形または略正三角形であることを特徴としている。
【００１７】
陰茎挿入路には、陰茎挿入による弾性拡開後に弾性拡開量に略比例する弾性復元力が発生して陰茎に刺激を与える。陰茎挿入路の長手方向直交断面形状が正三角形または略正三角形であると、陰茎挿入により各辺にはその中央部で最も大きく中央部から頂点にかけて漸減する弾性拡開が生じ、これにより、各辺の中央部で最も大きく中央部から頂点にかけて漸減する弾性復元力が発生して陰茎に略密着することで刺激を与えることになる。すなわち、陰茎周方向の刺激は、一様で単純なものではなく、多様で変則的なものに変換されることになり、これが精液採取効率を高めるように作用する。また、各開口部および陰茎挿入路の長手方向直交断面形状を同じ形状の正三角形または略正三角形にすることで、筒状の装置本体の成形が容易になる。
【００１８】
前記各開口部および陰茎挿入路の長手方向直交断面形状は、陰茎の長手方向直交最小幅よりも少なくとも短辺の長さが小さい長方形または略長方形であることを特徴としている。
【００１９】
陰茎挿入路の長手方向直交断面形状が長方形または略長方形であると、陰茎挿入により２つの長辺にはその中央部で最も大きく中央部から短辺との交点にかけて漸減する弾性拡開が生じ、これにより、各長辺の中央部で最も大きく中央部から短辺との交点にかけて漸減する弾性復元力が発生するとともに、２つの短辺には小さい弾性拡開に伴う小さい弾性復元力が発生して陰茎に略密着することで刺激を与えることになる。すなわち、陰茎周方向の刺激は、一様で単純なものではなく、多様で変則的なものに変換されることになり、これが精液採取効率を高めるように作用する。また、各開口部および陰茎挿入路の長手方向直交断面形状を同じ形状の長方形または略長方形にすることで、筒状の装置本体の成形が容易になる。
【００２０】
前記陰茎挿入路の内面は、長手方向直交断面形状が正三角形，略正三角形、または長方形，略長方形からなり、かつ長手方向で互いに隣接する多数の環状体それぞれの各辺によって、長手方向断面を半円形で外側に膨出して連続する凹面、または半円形で内側に膨出して連続する凸面に形成されており、
前記多数の環状体の始端の環状体と終端の環状体の両者は、これらの間に位置して長手方向まわりに均等な回転角で進角回転して回転角を順次増大させる前記両者以外の各環状体を介して２１０゜〜４２０゜範囲の相対回転角を有して互いに対向していることを特徴としている。
【００２１】
このように、陰茎挿入路の内面の長手方向断面が半円形で外側に膨出して連続する凹面または半円形で内側に膨出して連続する凸面であると、ソフトな摺擦を実現できるので、前記第１の操作によって得られる第１の刺激および第２の刺激が過剰になるのを抑制できる。また、長手方向直交断面形状が正三角形，略正三角形、または長方形，略長方形からなり、かつ長手方向で互いに隣接する多数の環状体それぞれの各辺によって、前記凹面または凸面が形成されていることによって、陰茎周方向の刺激は、一様で単純なものではなく、多様で変則的なものに変換されるとともに、前記多数の環状体の始端の環状体と終端の環状体の両者は、これらの間に位置して長手方向まわりに均等な回転角で進角回転して回転角を順次増大させる前記両者以外の各環状体を介して２１０゜〜４２０゜範囲の相対回転角を有して互いに対向していることで、前記第１の操作による陰茎長手方向まわりの正逆方向に反復摺擦する第２の刺激の過剰あるいは希薄が抑制されて、精液採取効率を高めることができる。
【考案の効果】
【００２２】
本考案によれば、部品点数をゲル状の弾性軟体からなる筒状の装置本体の１点に削減したシンプルな構造によって、陰茎に対して精液の採取に好適な多元的な刺激を与えて、精液採取効率を高めることができるとともに、廉価に供給する経済的効果を発揮できる。
【考案を実施するための最良の形態】
【００２３】
以下、本考案の好ましい実施形態を図面に基づいて説明する。
図１は本考案の第１実施形態を示す正面図、図２は図１の平面図、図３は図１の左側面図、図４は図１の右側面図である。
【００２４】
図１〜図４において、精液採取装置１は、ゲル状のポリプロピレン、ゲル状のエラストマー、ゲル状のシリコン樹脂などのゲル状の弾性軟体からなる筒状の装置本体２と、陰茎挿入路３とを備え、筒状の装置本体２の長手方向直交断面形状は正方形に設定されている。
【００２５】
前記筒状の装置本体２の長手方向の両端部には、陰茎の長手方向直交最小断面積（詳しくは、勃起した陰茎の長手方向直交最小断面積）よりも小さい面積で、３つの頂点近傍を円弧状に面取りした略正三角形からなる開口部４，５が設けられ、各開口部４，５は、陰茎長に基づく各開口部４，５間の対向距離（詳しくは、勃起した陰茎長に基づく各開口部４，５間の対向距離）に基づく長手方向（軸方向）の寸法を有するスパイラル形の陰茎挿入路３を介して互いに連通している。
【００２６】
前記スパイラル形の陰茎挿入路３は、図３，図４で示すように、３つの頂点近傍を円弧状に面取りした長手方向直交断面形状が略正三角形のもので、図１，図２のように、長手方向で互いに隣接する多数の環状体６ａ，６ｂ，６ｃ……６ｎ−１，６ｎそれぞれの各辺（３つの辺）によって、図５に示すように、長手方向断面が半円形で外側に膨出して連続する凹面７に形成されている。また、図１，図２，図５に示す多数の環状体６ａ，６ｂ，６ｃ……６ｎ−１，６ｎにおいて、右側に位置している環状体６ａに対して、その左側に隣接する環状体６ｂ（以下は、環状体６ｂに対して環状体６ｃ、環状体６ｃに対して環状体６ｄ……環状体６ｎ−１に対して環状体６ｎ）は、図６に示すように、開口部５から開口部４を見た場合に、小さい回転角α＝約６゜で長手方向まわりに反時計方向に進角回転している。すなわち、図１，図２，図５に示す多数の環状体６ａ，６ｂ，６ｃ……６ｎ−１，６ｎにおける始端の環状体６ａと終端の環状体６ｎは、これらの間に位置して前記回転角α＝約６゜で長手方向まわりに均等に進角回転して回転角を順次増大させる各環状体６ｂ，６ｃ……６ｎ−１を介して、図７に示すように、β＝３００゜の相対回転角を有して互いに対向している。
【００２７】
前記構成の精液採取装置１では、各開口部４，５のいずれかからスパイラル形の陰茎挿入路３に陰茎を挿入し、筒状の装置本体２を把持して陰茎摺擦操を行うことによって、部品点数を筒状の装置本体２の１点のみに削減したシンプルな構造の精液採取装置１によって精液を採取できる。
【００２８】
筒状の装置本体２は、ゲル状のポリプロピレン、ゲル状のエラストマー、ゲル状のシリコン樹脂などのゲル状の弾性軟体によって構成されているので、ゲル状の弾性軟体独自の物理的特性によって、陰茎に対して精液の採取に好適な過不足のない刺激を与えることができるとともに、陰茎摺擦操作中における筒状の装置本体２への握力や撓曲力などを加減することで、陰茎に加わる圧力やその方向を任意に変化させて、陰茎に対する刺激の多様化を図れる。したがって、精液採取効率が向上する。
【００２９】
長手方向直交断面形状が正方形である筒状の装置本体２であれば、各辺の長さを５０ｍｍ前後に設定することで、筒状の装置本体２の把持が容易になって、陰茎摺擦操作の安定性を高めることができる。なお、各コーナ部分を面取りすることで把持が一層容易になる。筒状の装置本体２の長手方向直交断面形状は、円形であってもよい。この場合、円の外径を５４ｍｍ前後に設定することで、筒状の装置本体２の把持が容易になって、陰茎摺擦操作の安定性を高めることができる。
【００３０】
スパイラル形の陰茎挿入路３には、陰茎挿入による弾性拡開後に弾性拡開量に略比例する弾性復元力が発生して陰茎に刺激を与える。陰茎挿入路３の長手方向直交断面形状が正三角形または略正三角形であると、陰茎挿入により３つの辺にはその中央部で最も大きく中央部から頂点にかけて漸減する弾性拡開が生じ、これにより、各辺の中央部で最も大きく中央部から頂点にかけて漸減する弾性復元力が発生して陰茎に略密着することで刺激を与えることになる。すなわち、陰茎周方向の刺激は、一様で単純なものではなく、多様で変則的なものに変換されることになり、これが精液採取効率を高めるように作用する。
【００３１】
一方、摺擦操作中の陰茎に対する刺激は、筒状の装置本体２を陰茎長手方向に進退させる第１の操作によって得られる第１の刺激と、第１の操作によってスパイラル形の陰茎挿入路３の凹面７が陰茎長手方向まわりの正逆方向に反復摺擦する第２の刺激とを複合した二元的な刺激が同時に与えられる。しかも、筒状の装置本体２を陰茎長手方向まわりの正逆方向に回動させる第２の操作を加えることによって、陰茎に対して精液の採取に好適な多元的な刺激を与えて、精液採取効率を著しく高めることができる。
【００３２】
スパイラル形の陰茎挿入路３の内面の長手方向断面が半円形で外側に膨出して連続する凹面７であると、ソフトな摺擦を実現できるので、前記第１の操作によって得られる第１の刺激および第２の刺激が過剰になるのを抑制できる。
【００３３】
また、長手方向直交断面形状が正三角形または略正三角形からなり、かつ長手方向で互いに隣接する多数の環状体６ａ，６ｂ，６ｃ……６ｎ−１，６ｎそれぞれの各辺（３つの辺）によって前記凹面７が形成されていることにより、陰茎周方向の刺激は、前述の理由により、一様で単純なものではなく、多様で変則的なものに変換されるとともに、始端の環状体６ａと終端の環状体６ｎは、それ以外の各環状体６ｂ，６ｃ……６ｎ−１を介してβ＝３００゜の相対回転角を有して互いに対向しているので、前記第１の操作による陰茎長手方向まわりの正逆方向に反復摺擦する第２の刺激の過剰あるいは希薄が抑制されて、精液採取効率を高めることができる。なお、本実施形態において、始端の環状体６ａと終端の環状体６ｎの相対回転角βが４２０゜を超えると、前記第１の操作による陰茎長手方向まわりの正逆方向に反復摺擦する第２の刺激が過剰になり、始端から終端までの長手方向まわりの回転角が２４０゜未満であると、前記第１の操作による陰茎長手方向まわりの正逆方向に反復摺擦する第２の刺激が希薄になる。このように、第２の刺激が過剰になったり希薄になると、精液採取効率が低下するので、スパイラル形の陰茎挿入路の始端から終端までの回転角を２４０゜〜４２０゜の範囲、望ましくは３００゜付近に設定することが推奨される。
【００３４】
前記第１実施形態の精液採取装置１によれば、部品点数をゲル状の弾性軟体からなる筒状の装置本体２の１点に削減したシンプルな構造によって、陰茎に対して精液の採取に好適な多元的な刺激を与えて、精液採取効率を高めることができるとともに、廉価に供給する経済的効果を発揮できる。
【００３５】
つぎに、本考案の第２実施形態について説明する。図８は第２実施形態を示す正面図、図９は図８の平面図、図１０は図８の左側面図、図１１は図８の右側面図である。なお、図１〜図７で説明した第１実施形態と同一部分には、同一符号を付して、重複する構造および作用の説明は省略する。
【００３６】
図８〜図１１に示す第２実施形態が図１〜図７で説明した第１実施形態と異なる構造は、各開口部４，５の形状およびスパイラル形の陰茎挿入路３の長手方向直交断面形状を陰茎の長手方向直交最小幅（詳しくは、勃起した陰茎の長手方向直交最小幅）よりも少なくとも短辺の長さが小さく、４つのコーナ部近傍を円弧状に面取りした略長方形にしている点である。なお、長手方向直交断面形状が円形の筒状の装置本体２を示しているが、長手方向直交断面形状が正方形の筒状の装置本体２であってもよい。また、各開口部４，５および多数の環状体６ａ，６ｂ，６ｃ……６ｎは、４つのコーナ部を直角にした長方形であってもよい。
【００３７】
前記スパイラル形の陰茎挿入路３の内面は、図１０，図１１で示すように、４つのコーナ部近傍を円弧状に面取りした長手方向直交断面形状が略長方形のもので、図８，図９のように、長手方向で互いに隣接する多数の環状体６ａ，６ｂ，６ｃ……６ｎ−１，６ｎそれぞれの各辺（４つの辺）によって、図５に示すように、長手方向断面が半円形で外側に膨出して連続する凹面７に形成されている。また、図５，図８，図９に示す多数の環状体６ａ，６ｂ，６ｃ……６ｎ−１，６ｎにおいて、右側に位置している環状体６ａに対して、その左側に隣接する環状体６ｂ（以下は、環状体６ｂに対して環状体６ｃ、環状体６ｃに対して環状体６ｄ……環状体６ｎ−１に対して環状体６ｎ）は、図１２に示すように、開口部５から開口部４を見た場合に、小さい回転角α＝約６゜で長手方向まわりに反時計方向に進角回転している。すなわち、図５，図８，図９に示す多数の環状体６ａ，６ｂ，６ｃ……６ｎ−１，６ｎにおける始端の環状体６ａと終端の環状体６ｎは、これらの間に位置して前記回転角α＝約６゜で長手方向まわりに均等に進角回転して回転角を順次増大させる各環状体６ｂ，６ｃ……６ｎ−１を介して、図１３に示すように、β＝２７０゜の相対回転角を有して互いに対向している。
【００３８】
陰茎挿入路３の長手方向直交断面形状が長方形または略長方形であると、陰茎挿入により２つの長辺にはその中央部で最も大きく中央部から短辺との交点にかけて漸減する弾性拡開が生じ、これにより、各長辺の中央部で最も大きく中央部から短辺との交点にかけて漸減する弾性復元力が発生するとともに、２つの短辺には小さい弾性拡開に伴う小さい弾性復元力が発生して陰茎に略密着することで刺激を与えることになる。すなわち、陰茎周方向の刺激は、一様で単純なものではなく、多様で変則的なものに変換されることになり、これが精液採取効率を高めるように作用する。
【００３９】
また、長手方向直交断面形状が長方形または略長方形からなり、かつ長手方向で互いに隣接する多数の環状体６ａ，６ｂ，６ｃ……６ｎ−１，６ｎそれぞれの各辺（４つの辺）によって図５に示す凹面７が形成されていることにより、陰茎周方向の刺激は、前述の理由により、一様で単純なものではなく、多様で変則的なものに変換されるとともに、始端の環状体６ａと終端の環状体６ｎは、それ以外の各環状体６ｂ，６ｃ……６ｎ−１を介してβ＝２７０゜の相対回転角を有して互いに対向しているので、前記第１の操作による陰茎長手方向まわりの正逆方向に反復摺擦する第２の刺激の過剰あるいは希薄が抑制されて、精液採取効率を高めることができる。なお、本実施形態において、始端の環状体６ａと終端の環状体６ｎの相対回転角βが３６０゜を超えると、前記第１の操作による陰茎長手方向まわりの正逆方向に反復摺擦する第２の刺激が過剰になり、始端から終端までの長手方向まわりの回転角が２１０゜未満であると、前記第１の操作による陰茎長手方向まわりの正逆方向に反復摺擦する第２の刺激が希薄になる。このように、第２の刺激が過剰になったり希薄になると、精液採取効率が低下するので、スパイラル形の陰茎挿入路の始端から終端までの回転角を３６０゜〜２１０゜の範囲、望ましくは２７０゜付近に設定することが推奨される。
【００４０】
前記各実施では、スパイラル形の陰茎挿入路３の内面を、図５に示すように、半円形で外側に膨出して連続する凹面７で形成しているが、図１４に示すように、略半円形で内側に膨出して連続する凸面８であってもよい。
【図面の簡単な説明】
【００４１】
【図１】本考案の第１実施形態を示す正面図である。
【図２】図１の平面図である。
【図３】図１の左側面図である。
【図４】図１の右側面図である。
【図５】陰茎挿入路の内面の一例を示す拡大断面図である。
【図６】略正三角形の環状体の長手方向まわりの回転角の一例を示す説明図である。
【図７】始端と終端の略正三角形の環状体の長手方向まわりの相対回転角の一例を示す説明図である。
【図８】本考案の第２実施形態を示す正面図である。
【図９】図８の平面図である。
【図１０】図８の左側面図である。
【図１１】図８の右側面図である。
【図１２】略長方形の環状体の長手方向まわりの回転角の一例を示す説明図である。
【図１３】始端と終端の略長方形の環状体の長手方向まわりの相対回転角の一例を示す説明図である。
【図１４】陰茎挿入路の内面の他の例を示す拡大断面図である。
【符号の説明】
【００４２】
１  精液採取装置
２  筒状の装置本体
３  スパイラル形の陰茎挿入路
４  開口部
５  開口部
６ａ〜６ｎ  略正三角形または長方形の環状体
７  凹面
８  凸面
α  回転角
β  相対回転角
【図１】
0003135770.tif 000003
【図２】
0003135770.tif 000004
【図３】
0003135770.tif 000005
【図４】
0003135770.tif 000006
【図５】
0003135770.tif 000007
【図６】
0003135770.tif 000008
【図７】
0003135770.tif 000009
【図８】
0003135770.tif 000010
【図９】
0003135770.tif 000011
【図１０】
0003135770.tif 000012
【図１１】
0003135770.tif 000013
【図１２】
0003135770.tif 000014
【図１３】
0003135770.tif 000015
【図１４】
0003135770.tif 000016